(57)【要約】【課題】板部材（２）から成る滑走または転動用具（１）を提供するにおいて、足の収容区域を板部材の機械的特性の決定に関与させることを目的とする。【解決手段】該板部材（２）は滑走面（７）と受入れ面（８）との間で計測した高さと、第一収容区域（２２）および第二収容区域（２４）を有し、該用具（１）の特徴とするところは、収容区域（２２、２４）のうち少なくとも１つにおいて、該板部材（２）の高さが横断方向に変化すること、該用具が受入れ面（４７、４９）の反対側に支承面（４６、４８）を有する少なくとも１つのスペイサー（４０、４１）を含むこと、および該スペイサー（４０、４１）の支承面（４６、４８）が、収容区域（２２、２４）で画定されるように該板部材（２）の受入れ面（８）に対して少なくとも部分的に補完的な形状を有し、該スペイサー（４０、４１）は該収容区域に固定されることにある。【選択図】　図１
0003096913.tif 000002
【実用新案登録請求の範囲】
【請求項１】
板部材（２、７１、９１、１１１、１４１、１６１、１９１）から成る滑走または転動用具（１、７０、９０、１１０、１４０、１６０、１９０）であって、前記板部材（２、７１、９１、１１１、１４１、１６１、１９１）は、第一端部（３、１６２）と第二端部（４、１６３）との間で長手方向に沿って計測した長さと、第一縁部（５、９４、１１４、１４４、１６４、１９９）と第二縁部（６、９５、１１５、１４５、１６５、２００）との間で横断方向に沿って計測した幅と、滑走面または転動面（７、１６６）と受入れ面（８、１１６、１６７）との間で計測した高さと、第一収容区域（２２、１６８）と第二収容区域（２４、７６、９３、１１３、１４３、１７０、１９６）とを有し、
前記収容区域（２２、２４、７６、９３、１１３、１４３、１６８、１７０、１９６）の少なくとも１つが横断方向に変化する起伏を有すること；前記用具（１、７０、９０、１１０、１４０、１６０、１９０）が少なくとも１つのスペイサー（４０、４１、７２、９２、１１２、１４２、１８３、１９２）を含み、前記スペイサーはその受入れ面（４７、４９、７８、９７、１２６、１９８）の反対側に支承面（４６、４８、７７、９６、１２５、１９７）を有し、前記スペイサー（４０、４１、７２、９２、１１２、１４２、１８３、１９２）の支承面（４６、４８、７７、９６、１２５、１９７）は、少なくとも部分的に、前記収容区域（２２、２４、７６、９３、１１３、１４３、１６８、１７０、１９６）内に画定される板部材（２、７１、９１、１１１、１４１、１６１、１９１）の受入れ面（８、１１６、１６７、２０１）に対して補完的な形状を有すること；および前記スペイサー（４０、４１、７２、９２、１１２、１４２、１８３、１９２）が前記収容区域に固定されていることを特徴とする滑走または転動用具。
【請求項２】
前記収容区域（２２、２４、７６、９３）内で、前記板部材（２、７１、９１）の受入れ面（８）が、前記板部材（２、７１、９１）の中央部で結合して頂部（３７、７５）を形成する２つの斜面（３５、３６、７６、９３）により形成されることを特徴とする請求項１に記載の滑走または転動用具（１、７０、９０）。
【請求項３】
前記スペイサー（４０、４１）が第一部分（４２、４４）と、前記第一部分とは別の第二部分（４３、４５）とを含むことを特徴とする請求項１または２に記載の滑走または転動用具（１）。
【請求項４】
前記スペイサー（４０、４１）の第一部分と第二部分の各々（４２、４３、４４、４５）が、全体として楔形をしていることを特徴とする請求項３に記載の滑走または転動用具（１）。
【請求項５】
前記スペイサー（４０、４１）の第一部分（４２、４４）が、前記板部材（２）の第一側縁部（５）で柔軟であること；および前記スペイサー（４０、４１）の第二部分（４２、４４）が、前記板部材（２）の第二側縁部（６）で第一部分（４２、４４）よりも硬いことを特徴とする請求項３または４に記載の滑走または転動用具（１、７０、９０、１１０、１４０、１６０、１９０）。
【請求項６】
前記スペイサー（７２、９２）が一体物であることを特徴とする請求項１または２に記載の滑走または転動用具（７０、９０）。
【請求項７】
収容区域（１１３）内にある、板部材（１１１）の第一縁部（１１４）と第二縁部（１１５）との間で、前記板部材の受入れ面（１１６）が、第一側方リブ（１１７）と、中央リブ（１１８）と、第二側方リブ（１１９）とを連続して有することを特徴とする請求項１に記載の滑走または転動用具（１１０）。
【請求項８】
収容区域（１４３）内において、板部材（１４１）の第一縁部（１４４）と第二縁部（１４５）との間で、前記板部材の受入れ面（１４６）が第一側方リブ（１４７）と第二側方リブ（１４８）とを有することを特徴とする請求項１に記載の滑走または転動用具（１４０）。
【請求項９】
収容区域（１６８、１７０）内において、前記板部材（１６１）が、その受入れ面（１６７）の側に中央リブ（１８０）を有することを特徴とする請求項１に記載の滑走または転動用具（１６０）。
【請求項１０】
収容区域（１９６）内において、前記板部材（１９１）の受入れ面（２０１）が、結合して凹部（１９５）を形成する２つの斜面（１９３、１９４）で形成されることを特徴とする請求項１に記載の滑走または転動用具（１９０）。
【請求項１１】
スペイサー（１９２）が、その支承面（１９７）上に突出部を有し、該突出部の形状が前記板部材（１９１）の受入れ面（２０１）の凹部（１９５）と少なくとも部分的に相補関係にあることを特徴とする請求項１０に記載の滑走または転動用具（１９０）。
【請求項１２】
前記スペイサー（４０、４１、７２、９２、１１２、１４２、１８３）が、前記板部材（２、７１、９１、１１１、１４１、１６１、１９１）の第一縁部（５、９４、１１４、１４４、１６４、１９９）の近くに反り返った第一端部（９８）と、前記板部材の第二縁部（６、９５、１１５、１４５、１６５、２００）の近くに反り返った第二端部（９９）を有することを特徴とする請求項１から１１のいずれか一項に記載の滑走または転動用具（１、７０、９０、１１０、１４０、１６０、１９０）。
【請求項１３】
収容区域（２２、２４）の間に位置する中央区域（２３）が、前記収容区域（２２、２４）の起伏とほぼ同一の起伏を有することを特徴とする請求項１から１２のいずれか一項に記載の滑走または転動用具（１、７０、９０、１１０、１４０、１６０、１９０）。
【請求項１４】
前記板部材（２）の第一収容区域（２２）のための第一スペイサー（４０）が柔軟であり、かつ前記板部材（２）の第二収容区域（２４）のための第二スペイサー（４１）が前記第一スペイサー（４０）よりも硬いことを特徴とする請求項１から１３のいずれか一項に記載の滑走または転動用具（１、７０、９０、１１０、１４０、１６０、１９０）。
【考案の詳細な説明】
【０００１】
本考案は、板部材から成る滑走または転動用具の分野に属する。
【０００２】
このような用具は、スノーサーフ（スノーボード）や、水上サーフすなわちウェークボード（モーターボートの曳き波に乗るサーフィン）や、ローラースケートまたはスケートボード等のスポーツを実施するために使用される。
【０００３】
先行技術による滑走または転動用具は、第一の端部と第二の端部との間で長手方向に沿って計測した長さと、第一の縁部と第二の縁部との間で横断方向に沿って計測した幅と、滑走面（または転動面）と受取り面の間で計測した高さと、使用者の足を受け入れる第一区域と第二区域を含む板部材（ボード）とから成る。
【０００４】
ボードを操縦している間、使用者によって加えられる衝撃が板部材の
変形、とりわけ横断方向軸に沿った撓曲と長手方向軸に沿った捩れとを発生する。
【０００５】
板部材に所定の機械的特性を付与するには、この板部材に、足の受入
れ区域以外の或る一定の区域内で横断方向に変化する起伏（凹凸）などを設けた構造とすることが知られている。
【０００６】
例えば、ほぼ三角形の断面を有する板部材の中央区域を案出してもよく、その基部は滑走または転動面であり、またその頂部は受入れ面の中央部にある。この受入れ区域において、この区域において、このような構造は横断方向軸に沿って撓曲抵抗を増加させることができるとともに、板部材の長手方向軸に沿って捩れ抵抗を減少させることができる。
【０００７】
スノーボードの場合、この構造は、該板部材をとりわけ平坦でかつ耐久性のある面上で操縦を容易にする。
【０００８】
もちろん、板部材に所定の特性を付与するため、これ以外の断面形状を考えてもよい。しかしながら、受入れ区域は比較的平坦な表面を有し、これにより靴を直接に、または台座を介して、受取り面上に配置が可能となる。
【０００９】
スノーボードの場合、この台座が靴の保持装置の一部分となる場合がしばしばある。該台座は平坦な支承面を有し、この支承面が受入れ面内で板部材を受取るための面を支承する。
【００１０】
何れの場合においても、使用者は板部材を操縦するために足で推進力を容易に伝達することができ、この板部材は、推進力と相関連して撓んだり、または捩じれたりする。
【００１１】
使用者の足を収容するために、それらは比較的平坦な表面を有しているので、該収容区域は板材の機械的特性（とりわけ、横断方向軸に沿った撓曲変形および／または長手方向軸に沿った捩れ変形に関して）の決定には関与しない。
【００１２】
本考案は、とりわけ足の収容区域を板部材の機械的特性の決定に関与させることを目的とする。
【００１３】
この目的のために、本考案は板部材から成る滑走または転動用具を提案する。この板部材は、第一端部と第二端部の間で、長手方向に沿って計測した長さと、第一縁部と第二縁部の間で、横断方向に沿って計測した幅と、滑走面（または転動面）と受入れ面との間で計測した高さと、使用者の足を収容する第一区域と第二区域とを有する。
【００１４】
本考案による滑走または転動用の道具の特徴は、収容区域の少なくとも１が横断方向に変化する凹凸（起伏）を有すること、該用具が少なくとも１のスペイサーを含み、該スペイサーはその受入れ面とは反対側に支承面を有し、該スペイサーの支承面は、少なくとも一部分に、該収容区域内に画定される板部材の受入れ面に対して補完的な形状を有すること、および該スペイサーが収容区域に固定されることである。
【００１５】
この板部材の収容区域の凹凸が横断方向に変化することにより、所定の機械的特性を該収容区域に付与する。
【００１６】
スペイサーは、該収容区域内で板部材の受入れ面に対し補完的な形状
を取り、該板部材上に安定的に乗っている。従って、靴または締め具の台座は収容区域内で該板部材を安定して押圧し、かつ該スペイサーは、その受入れ面を介して、靴または締め具の台座のために所定の支承区域（好ましくは平坦面）を提供する。
【００１７】
１または複数個のスペイサーを使用することにより、靴または板部材
の台座の収容を妨げることなく、該板部材を構成するための自由な発想を提供するという利点を有する。
【００１８】
本考案の他の特徴および利点は、本考案がどのようにして実現できるかを示す非限定的な例を含む添付の図面を参照して以下の記載を読むことにより、より良く理解できよう。
【００１９】
図示の例は、スノーボードに対する本考案の応用例であるが、先に言及した他の分野にも応用可能であることを理解されたい。
【００２０】
第一実施例を図１ないし図３を用いて以下に述べる。
【００２１】
図１で分かるように、公知の仕方で、滑走用具１は板部材２から成る。この板部材は、第一端部３と第二端部４の間で長手方向Ｌ１に沿って計測した長さを有する。
【００２２】
この板部材２はまた、第一側縁部５と第二側縁部６との間で横断方向に沿って計測した幅と、滑走面７と受入れ面８との間で計測した高さとを有する。
【００２３】
もちろん、この横断方向は長手方向Ｌ１に対して垂直であるとともに、滑走面７に対して平行である。
【００２４】
図３から分かるように、板部材２は、その高さ方向に、例えば滑走層９、第一補強材１０、芯部１１、第二補強材１２、および保護層１３の積層から成る。
【００２５】
もちろん、この板部材１を実現するためには、鋳造プラスチック製のカバー等、他の構成を考えてもよい。
【００２６】
改めて図１を参照すると、板部材２はまた、第一端部３から第二端部４までに、第一端部区域２０と、第一接線Ｗ１と、第一中間区域２１と、第一収容区域２２と、中央区域２３と、第二収容区域２４と、第二中間区域２５と、第二接線Ｗ２と、第二端部区域２６とを有する。各収容区域２２、２４は、使用者の足保持装置をそれぞれ受け入れるためのものである。説明の便宜上、この足保持装置は図示しないことにする。
【００２７】
各収容区域２２、２４内に足保持装置用の固定手段を設けてもよい。この固定手段はねじ切りを施した孔２７の集合体として表される。これ以外にも、該装置の基部に幅広の溝などを設けるようにしてもよい。
【００２８】
本考案によると、該板部材２の収容区域２２、２４の少なくとも１は横断方向に変化する凹凸（起伏）部を有する。
【００２９】
図３で分かるように、第二収容区域２４について、板部材２の高さは側縁部５、６の箇所よりも中央部でより大きくなっている。この収容区域２４において、受入れ面８は、該板部材２の中央部で結合して頂部３７を形成する、２つの斜面３５、３６により形成される。
【００３０】
この斜面は僅かに丸みを帯びた稜部の形をしているが、鋭い角度をもつ稜部で構成してもよく、また反対に、幅のより広い帯状部材で構成してもよい。この場合、帯状部材は滑走面７に平行であるか、またはこの滑走面と或る角度を成すようにしてもよい。
【００３１】
各斜面３５、３６は、ほぼ平坦な面状を呈しているが、凸状、凹状を呈していてもよく、更には又、それ自体が波状、縞状、または他の何らかの凹状または凸状であってもよい。
【００３２】
図１で分かるように、滑走用具１は第一収容区域２２内に配設される第一スペイサー４０と、第二収容区域２４内に配設される第二スペイサー４１とを含む。
【００３３】
各スペイサー４０、４１は、板部材２と靴との間に設けた中間部材（すなわち、靴保持装置）である。この中間部材は単一成形体（モノブロック）であってもよく、また、複数個の異なる部分で形成してもよい。
【００３４】
第一実施例の場合、第一スペイサー４０は第一部分４２と第二部分４３とを含み、また第二スペイサー４１は第一部分４４と第二部分４５とを含む。
【００３５】
図３で明らかなように、第二スペイサー４１の第一部分４４は受入れ面４７に相対する支承面４６を有し、また第二スペイサー４１の第二部分４４は受入れ面４９に相対する支承面４８を有する。
【００３６】
この第二スペイサー４１の各支承面４６、４８は、第二収容区域２４で画定されているように、板部材２の受入れ面８に対して補完的な形状を有する。
【００３７】
したがって、支承面４６、４８のリブ５５、５６、５７と５８、５９、６０および第二スペイサー４１の２の部分４４、４５は板部材２の受入れ面８に押し当てられている。リブ５５、５６、５７と５８、５９、６０の端部は、それぞれ、該板部材２上で、スペイサー４１の部分４４、４５の支承面を構成する。斜面３５、３６はほぼ平坦であるので、リブ５５、５６、５７と５８、５９、６０の端部は、それぞれ、平面内に包含される。もちろん、リブの使用は不可欠ではなく、また支承面４６、４８は平らであってもよかろう。
【００３８】
図２に示すように、第二スペイサー４１の第一部分４４の場合、該支承面４６の側にあるリブは蜂窩状の外観をこの面に付与する。支承面４６、４８上にリブを設けるということはスペイサーの軽量化に寄与する。
【００３９】
改めて図３を参照すると、第二スペイサー４１の各部分４４、４５は、全体として楔形をしている。これらの部分４４、４５は、該スペイサー４１の部分４４、４５の受入れ面４７、４９がほぼ同一平面にあるような寸法取りとなっている。
【００４０】
第二スペイサー４１の受入れ面４７、４９は、受入れ面８の頂部３７から突出するのが好ましい。これにより、該板部材２の第二収容区域２４内に保持装置の取り付けを容易にする。
【００４１】
該部分４４、４５は、何らかの手段により、板部材２に一体連結される。一体連結には、糊付けや半田付け等の取外しを不能にする一体連結手段を用いて行うのが好ましい。半田付けを行うためには、スペイサー４１と板部材２の保護層１３は同一の材質または互いに親和性のある材料でできているものを使用する。例えば、超音波または溶剤を用いて局部的な融解を発生させることにより、該板部材上にスペイサーを溶接することができる。使用する材料は、ポリウレタン、アセチル−ブタヂエン−スチレンなどを主成分とする合成材料であってもよい。
【００４２】
もちろん、スペイサー４１を板部材２に一体連結する手段は取り外しできるようにしてもよい。このような一体連結は、何度も繰り返して組立・分解が可能な、ねじなどを用いるラチェット機構により実現することができる。
【００４３】
もちろん、第二収容区域２４について記載してきたことは、第一収容区域２２にも当てはまる。
【００４４】
図１で良く分かるように、該板部材の２の収容区域２２、２４の外形はほぼ同一の三角形状をしている。この外形は、収容区域２２、２４内にある板部材２に所定の機械的特性を付与する。この場合、三角形の輪郭は該板部材２の横断方向軸に沿って撓み剛性を増加させるとともに、該板部材２の長手方向軸に沿って捩じり剛性を減少させる。
【００４５】
スペイサー４０、４１を使用することにより、特定の性質を該収容区域２２、２４に与えることができるとともに、足または足保持装置を平らに支承できるようにする。
【００４６】
補足的に、該板部材２の中央区域２３はまた、横断方向に変化する凹凸（起伏）を有する。
【００４７】
第一実施例によれば、該中央区域２３の凹凸（起伏）は収容区域２２、２４の凹凸とほぼ同一である。したがって、板部材２の構造は収容区域２２、２４および中央区域２３の３区域に沿ってほぼ同形である。これにより、使用者の一方の足から他方の足まで延在する該板部材２の全部分に亙って、特定の機械的性質を減衰させることができる。さらに、該中央区域２３の三角形状の輪郭は撓み剛性を増加させ、かつ捩れ剛性を減少させる。場合により、中央区域２３は三角形の輪郭を有してもよく、その断面は２の収容区域間を徐々に移動する。
【００４８】
本考案の他の実施例について、図４ないし図８を参照して以下に説明する。便宜上、第一実施例との相違点のみを明らかにする。
【００４９】
図４に示す第二実施例では、該滑走用具７０は板部材７１とスペイサー７２を含む。
【００５０】
板部材７１は２の斜面７２、７３で横断方向に変化する起伏（凹凸）を有し、該斜面は合流して該収容区域７６内に頂部７５を形成する。
【００５１】
スペイサー７２は一体物（モノブロック）の形で表される。このスペイサーは受入れ面７８と相対する側に支承面７７を有する。
【００５２】
支承面７７は、収容区域７６内に画定されるように、該板部材７１の受入れ面に対して相補的な形状を有する。
【００５３】
受入れ面７８は、靴または靴保持装置を受け入れるようにほぼ平らな形状をしている。該受入れ面７８は板部材７１に対して平行であるが、該板部材と或る角度を以て傾斜していてもよい。
【００５４】
本考案の第三実施例について、図５を参照して説明する。
【００５５】
滑走用具９０は板部材９１とスペイサー９２とを含む。
【００５６】
板部材９１は、第一縁部９４と第二縁部９５との間で、収容区域９３が横断方向に変化する凹凸（起伏）を有する。
【００５７】
スペイサー９２は、受入れ面９７とは反対側に支承面９６を有する一体物（モノブロック）の形で表される。該スペイサー９２は、板部材９１の第一縁部９４の近くで反り返った第一端部９８と、第二縁部の近くで反り返った第二端部９９とを有する。両端部９８、９９が反り返っているため、該受入れ面９７に対して、横断方向に凹んだ輪郭を与える。この形状は、靴底を受け入れるのに格別都合がよい。
【００５８】
もちろん、第一実施例におけるように、反り返った横断方向の端部を有する複数個の部分から成るスペイサーを実現することも可能である。
【００５９】
図６を参照して、第四実施例につき説明する。滑走用具１１０は板部材１１１とスペイサー１１２とを含む。板部材１１１は第一縁部１１４と第二縁部１１５との間にある、収容区域１１３内で横断方向に変化する凹凸（起伏）を有する。板部材１１１の受入れ面１１６は、第一縁部１１４から第二縁部１１５まで、第一側方リブ１１７と、中央リブ１１８と、第二側方リブ１１９とを連続して有する。これらのリブ間で、板部材１１１の高さは減少する。リブ１１７、１１８、１１９の頂部１２０、１２１、１２２は、それぞれ、同一面内に含まれるのが好ましい。
【００６０】
スペイサー１１２自体は、支承面１２５と受入れ面１２６とを有する。該支承面１２５は、板部材１１１の受入れ面１１６に嵌合するようになっており、その結果、中間リブ１２７、１２８を有する。しかしながら、スペイサー１１２の支承面１１２をほぼ平坦で、板部材１１１のリブ１１７、１１８、１１９の頂部１２０、１２１、１２２のみを押し付けるようにしてもよい。
【００６１】
このような構造は、少なくとも収容区域１１３内で、横断方向軸に沿って大きな撓み抵抗と長手方向軸に沿って大きな柔軟性を板部材１１１に付与する。
【００６２】
第五実施例について、図７を参照して説明する。
【００６３】
滑走用具１４０は板部材１４１とスペイサー１４２とを含む。板部材１４１は第一縁部１４４と第二縁部１４５との間で、収容区域１４３が横断方向に変化する凹凸（起伏）を有する。
【００６４】
板部材１４１の受入れ面１４６は、第一縁部１４４の箇所に第一の側方リブ１４７と第二縁部１４５の箇所に第二の側方リブ１４８のみを有する。この構造は、少なくとも収容区域１４３内で、長手方向軸に沿って大きな柔軟性を板部材１４１に付与する。
【００６５】
第六実施例について、図７を参照して説明する。
【００６６】
滑走用具１６０は板部材１６１から成る。この板部材は、第一端部１６２と第二端部１６３との間で計測した長さと、第一側縁部１６４と第二側縁部１６５との間で計測した幅と、滑走面１６６と受入れ面１６７との間で計測した高さとを有する。
【００６７】
該板部材１６１は、とりわけ、第一収容区域１６８と、中央区域１６９と、第二収容区域１７０とを有する。
【００６８】
第一収容区域１６８において、該板部材１６１は受入れ面１６７の側に中央リブ１８０を有する。
【００６９】
該リブ１８０の各々の側で、平面１８１、１８２は、横断方向に、該リブ１８０と側縁部１６４、１６５との間に接合部を構成する。
【００７０】
２つの部分１８４、１８５を含む第一スペイサー１８３は、これら２つの部分の各々が面１８１、１８２を支承するように配設される。該スペイサー１８３の２つの部分１８４、１８５は平行六面体をした板の形状で表される。しかしながら、これらの部分を楔のような形状としてもよい。
【００７１】
第二収容区域１７０の構造は第一収容区域と同様である。この第二収容区域が受け入れるスペイサーもまた２つの部分から成るものである。
【００７２】
第七実施例について、図９を参照して説明する。
【００７３】
滑走用具１９０は板部材１９１とスペイサー１９２とから成る。
【００７４】
板部材１９１は２つの斜面１９３、１９４で横断方向に変化する凹凸（起伏）部を有し、これら２つの斜面は結合して収容区域１９６内に凹部を形成する。
【００７５】
スペイサー１９２は一体物（モノブロック）の形で表される。このスペイサーは受入れ面１９８の反対側に支承面１９７を有する。該スペイサーは、凹部１９５から突出しているか、縁部１９９、２００と同じ高さであるか、または凹部１９５を部分的にのみ埋めるものであってよい。
【００７６】
いずれの場合にも、スペイサーの支承面１９７は、収容区域１９６で画定されるように、板部材１９１の受入れ面２０１に対して相補的な形状を有する。
【００７７】
この場合、該スペイサー１９２の支承面１９７は突出部を有し、その形状は板部材１９１の受入れ面２０１の凹部１９５に対して少なくとも部分的に相補関係にある。
【００７８】
受入れ面１９８はほぼ平坦で、靴または靴保持装置を収容するようになっている。該受入れ面１９８は板部材１９１と基本的に平行ではあるが、傾斜していて該板部材と或る角度を成していてもよい。
【００７９】
いずれの実施例についても、本考案は、各種材料を用いて、また当業者に公知の技術に従って実施することができる。
【００８０】
もちろん、本考案は上述した諸実施例に限定されるものではなく、冒頭に記載した実用新案登録請求の範囲に入る同等の技術を全て含む。
【００８１】
特に、板部材の横断面形状は該板部材に沿って非常に多様であり、またスペイサーの形状も同じく多様である。
【００８２】
何れの場合にも、該スペイサーの支承面は、部分的にのみ板部材の受入れ面に対して補完的である。
【００８３】
事実、本考案は、求める効果に応じて、板部材の横断面を極めて自由に変化させ得るとともに、足の安定した支承を保証する。
【００８４】
また、スペイサーまたは該スペイサーの部分に各種異なる材料を用いるようにしてもよい。
【００８５】
第一実施例において、第一収容区域２２のために、柔軟な第一スペイサー４０を、また、第二収容区域２４のために、第一収容区域よりも硬い第二スペイサー４１を設けてもよい。このような収容区域は、板部材２の各端部３、４について滑走用具を操縦する際に発生する衝撃の性質を異なるものにする。
【００８６】
また、板部材２の第一側縁部５に対するスペイサーの第一部分４２、４４を柔軟なものとし、他方、該板部材２の第二側縁部６に対するスペイサーの第二部分を第一側縁部より硬くしてもよい。このような収容区域は、板部材２の各側部５、６の各々を操縦する際に発生する衝撃の性質を異なるものにする。
【図面の簡単な説明】
【図１】本考案の第一実施例による滑走または転動用具の一部分解斜視図である。
【図２】第一実施例による、支承面の側から見たスペイサーを示す部分的な斜視図である。
【図３】図１のＩＩＩ−ＩＩＩ線に沿って見た断面図である。
【図４】本考案の第二実施例を示す、図３と同様の断面図である。
【図５】本考案の第三実施例を示す、図３と同様の断面図である。
【図６】本考案の第四実施例を示す、図３と同様の断面図である。
【図７】本考案の第五実施例を示す、図３と同様の断面図である。
【図８】本考案の第六実施例による滑走または転動用道具の一部分解斜視図である。
【図９】本考案の第七実施例を示す、図３に類似の断面図である。
【符号の説明】
１、７０、９０、１１０、１４０、１６０、１９０・・・・滑走または転動用具
２、７１、９１、１１１、１４１、１６１、１９１・・・・板部材
３、１６２　・・・・・・・・・・・・・・・・・・・・・第一端部
４、１６３　・・・・・・・・・・・・・・・・・・・・・第二端部
５、９４、１１４、１４４、１６４、１９９・・・・・・・第一縁部
６、９５、１１５、１４５、１６５、２００・・・・・・・第二縁部
７、１６６　・・・・・・・・・・・・・・・・・・・・・滑走面または転動面
８、１１６、１６７、２０１　・・・・・・・・・・・・・受入れ面
２２、２４、７６、９３、１１３、１４３、１６８、１７０、１９６・・収容区域
３５、３６、７３、７４　・・・・・・・・・・・・・・・・２つの斜面
３７、７５　・・・・・・・・・・・・・・・・・・・・・・頂部
４０、４１、７２、９２、１１２、１４２、１８３、１９２　スペイサー
４２、４４　・・・・・・・・・・・・・・・・・・・・・・第一の部分
４３、４５　・・・・・・・・・・・・・・・・・・・・・・第二の部分
４６、４８、７７、９６、１２５、１９７　・・・・・・・・支承面
４７、４９、７８、９７、１２６、１９８　・・・・・・・・受入れ面
１１７、１１８、１１９、１４７、１４８　・・・・・・・・・リブ
【図１】
0003096913.tif 000003
【図２】
0003096913.tif 000004
【図３】
0003096913.tif 000005
【図４】
0003096913.tif 000006
【図５】
0003096913.tif 000007
【図６】
0003096913.tif 000008
【図７】
0003096913.tif 000009
【図８】
0003096913.tif 000010
【図９】
0003096913.tif 000011